(57)【要約】【課題】キャップに装着して鍔部を大きくすることで蓋体の開閉操作を容易に行なえ、操作性を向上させることができることを目的としている。【解決手段】注出口を有するキャップ本体２１と、キャップ本体２１に着脱自在に装着され注出口を開閉すると共に、径方向の外側に向けて突設された鍔部２４を備えた有頂筒状の蓋体２２と、を有するヒンジキャップ２に装着され、鍔部２４に、その表裏面を覆い、かつ鍔部２４の先端２４ａよりも径方向の外側に向けて突出するように装着される操作部１０と、操作部１０に連結されると共に、蓋体２２に嵌合される環状に設けられた装着部１１と、を備えて概略構成されている。【選択図】図１
2012214233.tif 000002
【特許請求の範囲】
【請求項１】
注出口を有するキャップ本体と、該キャップ本体に着脱自在に装着され前記注出口を開閉すると共に、径方向の外側に向けて突設された鍔部を備えた蓋体と、を有するキャップに装着されるキャップ補助具であって、
前記鍔部に、その表裏面を覆い、かつ該鍔部の先端よりも径方向の外側に突出するように装着される操作部を備えていることを特徴とするキャップ補助具。
【請求項２】
前記操作部に連結されて、前記蓋体に嵌合される装着部を備えていることを特徴とする請求項１に記載のキャップ補助具。
【請求項３】
前記装着部は、弾性変形可能に形成されていることを特徴とする請求項２に記載のキャップ補助具。
【発明の詳細な説明】
【技術分野】
【０００１】
本発明は、鍔部を有するキャップに装着されるキャップ補助具に関するものである。
【背景技術】
【０００２】
従来、各種容器に装着されているヒンジキャップとして、例えば特許文献１に示されるような、容器の口部に被着されるキャップ本体と、キャップ本体にヒンジを介して回動自在に連結された蓋体とを備えたものがある。このようなヒンジキャップでは、蓋体の開閉操作を行うために、蓋体の外側に突出する鍔部が設けられているものが知られている。
この場合、蓋体を開ける際、鍔部に指を掛けてキャップ本体に対して引き上げることで、蓋体はヒンジ回りに回動して開く。
【先行技術文献】
【特許文献】
【０００３】
【特許文献１】特許第３６８２６７６号公報
【発明の概要】
【発明が解決しようとする課題】
【０００４】
上記した特許文献１のヒンジキャップでは、蓋体の鍔部が大きいほど開蓋時における指への局所的な受圧が小さくなって、指への負担を低減することができることから、鍔部を大きくしたい場合がある。しかしながら、一般的に鍔部はキャップ本体及び蓋体と一体成形されることから、鍔部の大きさを変更するためには新たな成形金型が必要となり、製造コストがかかるという問題があった。
【０００５】
本発明は、このような事情に鑑みてなされたものであって、キャップに装着して鍔部を大きくすることで蓋体の開閉操作を容易に行なえ、操作性を向上させることができるキャップ補助具を提供することを目的とする。
【課題を解決するための手段】
【０００６】
上記の目的を達成するために、この発明は以下の手段を提供している。
本発明に係るキャップ補助具は、注出口を有するキャップ本体と、該キャップ本体に着脱自在に装着され前記注出口を開閉すると共に、径方向の外側に向けて突設された鍔部を備えた蓋体と、を有するキャップに装着されるキャップ補助具であって、前記鍔部に、その表裏面を覆い、かつ該鍔部の先端よりも径方向の外側に突出するように装着される操作部を備えていることを特徴としている。
【０００７】
このような特徴により、鍔部に装着された操作部がその表裏面を覆うと共に、鍔部の先端よりも径方向の外側に突出するように設けられているので、操作部の、蓋体から径方向の外側へ向けた張り出し部分が鍔部よりも大きくなる。つまり、キャップ本体に対して蓋体を開ける際に指を掛ける部分の平面積が大きくなり、開蓋し易くなる。
このとき、操作部の裏面の平面積が増え、蓋体を引き上げて開ける際に指にかかる受圧面積が大きくなることから、局所的な受圧にならず不快な感触となるのを抑制することができる。
【０００８】
また、操作部を鍔部に装着させるだけで、キャップ本体に対して蓋体を開ける際に指を掛ける部分の大きさを変更することが可能となることから、キャップを成形する金型を変更せずに前述の作用効果が奏効される。
【０００９】
また、前記操作部に連結されて、前記蓋体に嵌合される装着部を備えていることが好ましい。
【００１０】
この場合には、キャップ補助具をキャップに取り付ける際に、蓋体に装着部を嵌合させることで、この装着部に連結されている操作部を鍔部に装着することができる。これにより、装着部が蓋体に嵌合して固定された状態となるので、開蓋時に操作部が鍔部に対してずれたり、脱落したりするのを防止することができる。
【００１１】
また、本発明のキャップ補助具では、前記装着部は、弾性変形可能に形成されていることが好ましい。
【００１２】
この場合には、蓋体に装着部を嵌合するに際し、装着部を弾性変形により径方向に拡げその内側に蓋体を遊嵌させることができるので、嵌合させる作業を効率よく行うことができるうえ、蓋体に例えば突起物等がある形状であっても柔軟に対応することができ、しかも蓋体の大きさ、形状が異なる複数種のキャップに対しても容易に装着することができる。
【００１３】
また、例えば装着部を周方向に沿って延びる波形状とすれば、周方向に拡げることで波形状を構成する振幅が小さくなるようにして周長を大きくすることができるので、蓋体に装着部を容易に嵌合することができる。さらに、装着部をＣ型状とすれば、径方向の開口部分を周方向に拡げることも可能となる。さらにまた、装着部をゴムやエラストマーなどの伸縮性を有する軟材質により形成すれば、蓋体に装着部をより一層容易に嵌合することができるとともに、装着部の蓋体に対する嵌合力を容易に高めることができる。
【発明の効果】
【００１４】
本発明に係るキャップ補助具によれば、キャップに装着して鍔部を大きくすることで蓋体の開閉操作を容易に行なえ、操作性を向上させることができる。
【図面の簡単な説明】
【００１５】
【図１】本発明の実施形態よるキャップに装着したキャップ補助具の構成を示す側面図である。
【図２】キャップ補助具を装着したキャップを上方から見た平面図である。
【図３】図２に示すＡ−Ａ線矢視図である。
【図４】図２に示すＢ−Ｂ線矢視図である。
【図５】図１に示すキャップ補助具の縦断面図である。
【図６】キャップ補助具を下方から見た平面図である。
【図７】図６に示すＣ−Ｃ線矢視図である。
【図８】図６に示すＤ−Ｄ線矢視図である。
【図９】変形例によるキャップ補助具の構成を示す斜視図である。
【発明を実施するための形態】
【００１６】
以下、本発明に係るキャップ補助具の実施形態について図面を参照して説明する。
図１に示すように、本実施形態のキャップ補助具１は、筒状のキャップ本体２１と、キャップ本体２１の図示されない注出口を開閉する有頂筒状の蓋体２２と、キャップ本体２１と蓋体２２とを連結するヒンジ体２３と、を備えたヒンジキャップ２において、その蓋体２２に装着される。
【００１７】
図１乃至図４に示すように、キャップ補助具１は、鍔部２４に装着される操作部１０と、操作部１０に連結されると共に、蓋体２２に嵌合される環状に設けられた装着部１１と、を備えて概略構成されている。
【００１８】
ここで、ヒンジキャップ２に装着した状態のキャップ補助具１において、装着部１１の径方向の中央部を通る軸線を補助具軸Ｏといい、補助具軸Ｏに直交する方向を径方向といい、補助具軸Ｏ回りに周回する方向を周方向という。また、ヒンジキャップ２における径方向中央部を通る中心軸と前記補助具軸Ｏとが一致しており、補助具軸Ｏ方向に沿って、蓋体２２側を上側といい、キャップ本体２１の開放端側を下側という。
【００１９】
ヒンジキャップ２において、キャップ本体２１は、不図示の容器の口部に被着可能となっている。蓋体２２は、円板状に形成された頂壁を有し、その外周縁部には、全周にわたって連続して延在し、キャップ本体２１の上縁端に配置される周壁部が下方に向けて突設されている。そして、蓋体２２には、これを開閉操作するための鍔部２４が径方向の外側に突設されている。ヒンジ体２３は、中央連結片２６と、中央連結片２６を周方向に挟む両側に配設された一対の側連結片２７と、を備えている。
【００２０】
鍔部２４において下方を向く裏面は、蓋体２２が閉じられた状態において、キャップ本体２１の上端と蓋体２２との界面上に配置されている。鍔部２４の位置は、径方向でヒンジキャップ２の中心軸を挟んでヒンジ体２３とは反対側に位置している。
【００２１】
キャップ補助具１の操作部１０は、鍔部２４の表裏面を覆い、かつ鍔部２４の先端２４ａよりも径方向の外側に向けて突出するように鍔部２４に装着される。具体的に操作部１０は、樹脂材料から形成され、図５乃至図８に示すように、装着部１１の下端に連設され、径方向内側に開口すると共に鍔部２４を収容する凹部１０ｂを有している。操作部１０の外周部１０ａは、凹部１０ｂに鍔部２４が嵌合された状態で鍔部２４の先端２４ａよりもさらに径方向外側に張り出している。
なお、操作部１０が鍔部２４の周方向の末端よりも周方向に突出していてもよい。
【００２２】
装着部１１は、周方向に沿って延びる波形状に形成されている。キャップ補助具１のうち少なくとも装着部１１は、ヒンジキャップ２を構成する樹脂材料よりも軟らかい軟材質、例えばオレフィン系、スチレン系、もしくはポリエステル系の熱可塑性エラストマー、ニトリルゴム、グチルゴム、シリコンゴム等のゴム状弾性体またはウレタン等で形成してもよい。この装着部１１では、波形状をなしているので、周方向に拡げることで波形を構成する振幅が小さくなるように弾性変形可能となっている。
【００２３】
キャップ補助具１は、一般的な射出成形の他に、例えばインサート成形や二色成形で成形してもよい。
【００２４】
次に、上述したように構成されたキャップ補助具１の作用について説明する。
図１乃至図４に示すように、鍔部２４に装着された操作部１０がその表裏面を覆うと共に、鍔部２４の先端２４ａよりも径方向の外側に突出するように設けられているので、操作部１０の、蓋体２２から径方向の外側へ向けた張り出し部分が鍔部２４よりも大きくなる。つまり、キャップ本体２１に対して蓋体２２を開ける際に指を掛ける部分の平面積が大きくなり、開蓋し易くなる。
このとき、操作部１０の裏面１０ｃの平面積が鍔部２４の裏面より大きく、蓋体２２を引き上げて開ける際に指にかかる受圧面積が大きくなることから、局所的な受圧にならず不快な感触となるのを抑制することができる。
【００２５】
また、操作部１０を鍔部２４に装着させるだけで、キャップ本体２１に対して蓋体２２を開ける際に指を掛ける部分の大きさを変更することが可能となることから、ヒンジキャップ２を成形する金型を変更せずに前述の作用効果が奏効される。
【００２６】
また、操作部１０に装着部１１を備えているので、キャップ補助具１をヒンジキャップ２に取り付ける際に、蓋体２２に装着部１１を嵌合させることで、この装着部１１に連結されている操作部１０を鍔部２４に装着することができる。これにより、装着部１１が蓋体２２に嵌合して固定された状態となるので、開蓋時に操作部１０が鍔部２４に対してずれたり、脱落したりするのを防止することができる。
【００２７】
また、装着部１１は、波形状であって弾性変形可能に形成されており、周方向に拡げることで波形状を構成する振幅が小さくなるようにして周長を大きくすることができるので、蓋体２２に装着部１１を容易に嵌合することができる。そのうえ、蓋体２２に例えば突起物等がある形状であっても柔軟に対応することができ、しかも蓋体２２の大きさ、形状が異なる複数種のキャップに対しても容易に装着することができる。
そして、装着部１１がゴム状弾性体などの軟材質により形成されているので、蓋体２２に装着部１１をより一層容易に嵌合することができるとともに、装着部１１の蓋体２２に対する嵌合力を容易に高めることができる。
【００２８】
上述のように本実施形態によるキャップ補助具では、ヒンジキャップ２に装着して鍔部２４を大きくすることで蓋体２２の開閉操作を容易に行なえ、操作性を向上させることができる。
【００２９】
以上、本発明に係るキャップ補助具の実施形態について説明したが、本発明は上記した実施の形態に限定されるものではなく、その趣旨を逸脱しない範囲で適宜変更可能である。
【００３０】
例えば、本実施形態では装着部１１として周方向に沿う波形状に形成された樹脂材料からなる部材としているが、このような形態に限定されることはない。例えば、装着部を樹脂材料からなるＣ型状とすれば、径方向の開口部分を周方向に拡げて蓋体に嵌合させることも可能となる。
また、装着部を環状のゴム状弾性体により形成した構成のものであってもかまわない。この場合、装着部自体の弾性変形により、蓋体に装着部をより一層容易に嵌合することができるとともに、装着部の蓋体に対する嵌合力を容易に高めることができる。
【００３１】
また、キャップ補助具１を装着する対象となるキャップの形状、大きさ等の構成は必要に応じて適宜変更が可能である。例えば、本実施の形態ではヒンジ体２３を備えたヒンジキャップ２を対象としているが、ヒンジ体を有しない構成のキャップであってもかまわない。
【００３２】
さらに、本実施形態では操作部１０と装着部１１とを一体成形により製造しているが、別体で設け、両者を組み付ける製造方法であってもよい。
また、操作部１０の凹部１０ｂは、鍔部２４が挿入される箱状に形成されているが、表裏面の少なくとも一部が覆われるような縦断面コ字状に形成してもよい。
なお、凹部１０ｂの大きさは、鍔部２４の大きさに対応させて設けることができるが、複数の大きさに対応させるため、目的とする鍔部のうち最も大きな鍔部の大きさに対応させることが好ましい。なおこの際、前記凹部１０ｂの内面に鍔部２４をその厚さ方向で保持するための凸リブを設けたり、装着部１１の嵌合力で径方向に締め付けるように構成することが好ましい。
【００３３】
さらにまた、上述した実施形態のキャップ補助具１は、操作部１０と装着部１１とを備えた構成としているが、これに制限されることはなく、操作部のみの構成とすることも可能である。例えば、図９に示す変形例によるキャップ補助具１Ａは、鍔部２４の表裏面を覆う凹部１２ａを有し、かつ鍔部２４の先端２４ａよりも径方向の外側に突出するように装着される操作部１２からなる。この凹部１２ａの内面には、鍔部２４をその厚さ方向で圧接させて保持するための凸リブ１２ｂが設けられている。キャップ補助具１Ａは、凸リブ１２ｂが鍔部２４に圧接することで、鍔部２４に対してずれたり、脱落することなく固定される。この場合もまた、操作部１２の、蓋体２２から径方向の外側へ向けた張り出し部分が鍔部２４よりも大きくなることから、蓋体２２を開ける際に指を掛ける部分の平面積が大きくなり、開蓋し易くなる。
【００３４】
その他、本発明の趣旨を逸脱しない範囲で、上記した実施形態における構成要素を周知の構成要素に置き換えることは適宜可能である。
【符号の説明】
【００３５】
１、１Ａ  キャップ補助具
２  ヒンジキャップ
１０、１２  操作部
１０ａ  外周部
１０ｂ、１２ａ  凹部
１０ｃ  裏面
１１  装着部
２１  キャップ本体
２２  蓋体
２３  ヒンジ体
２４  鍔部
２４ａ  先端
Ｏ  補助具軸
【図１】
2012214233.tif 000003
【図２】
2012214233.tif 000004
【図３】
2012214233.tif 000005
【図４】
2012214233.tif 000006
【図５】
2012214233.tif 000007
【図６】
2012214233.tif 000008
【図７】
2012214233.tif 000009
【図８】
2012214233.tif 000010
【図９】
2012214233.tif 000011